(57)【要約】【課題】  できるだけ患者や医療機器に異常が発生した場合にのみナースコール親機を呼び出すようにする。【解決手段】  タイマー部２４が予め設定しておいた時間を計測し終わるまで、検知部２３が医療機器１０から出力された接点信号を継続して検知した場合にのみ、アダプタ用制御部２１は、呼出信号を生成してナースコール子機３１へ出力する。これを入力したナースコールシステムにおいて、報知が行われる。これにより、医療機器１０から一時的に接点信号が出力された場合には、報知が行われないので、患者や医療機器１０に異常が発生した場合にのみ、ナースコール親機３２が呼び出される可能性を高くすることができる。従って、医療従事者が無駄に呼び出されることがなくなり、医療従事者の業務効率を向上させることができる。【選択図】        図１
2009106309.tif 000002
【特許請求の範囲】
【請求項１】
患者および／または医療機器に異常が発生した場合に前記医療機器から出力された信号を検知する検知部と、
予め設定しておいた時間を計測するタイマー部と、
前記タイマー部が前記予め設定しておいた時間を計測し終わるまで、前記検知部が継続して前記信号を検知したか否かを判定する判定部と、
前記検知部が前記信号を検知した場合、前記タイマー部および前記判定部を動作させるとともに、前記タイマー部が前記予め設定しておいた時間を計測し終わるまで、前記検知部が継続して前記信号を検知したと前記判定部にて判断した場合、医療従事者を呼び出すための呼出信号を生成して外部へ出力する制御部と、
を具備することを特徴とするナースコール連動アダプタ。
【請求項２】
患者および／または医療機器に異常が発生した場合に前記医療機器から出力された信号を形成しているパルスを検知するパルス検知部と、
前記パルス検知部が前記パルスを検知した回数をカウントするカウント部と、
予め設定しておいた時間を計測するタイマー部と、
前記タイマー部が予め設定しておいた時間を計測し終わるまで、前記カウント部にてカウントした回数が所定の回数以上になったか否かを判定するカウント数判定部と、
前記パルス検知部が前記パルスを検知した場合、前記タイマー部および前記カウント数判定部を動作させるとともに、前記タイマー部が予め設定しておいた時間を計測し終わるまで、前記カウント部にてカウントした回数が前記所定の回数以上になったと前記カウント数判定部にて判断した場合、医療従事者を呼び出すための呼出信号を生成して外部へ出力する制御部と、
を具備することを特徴とするナースコール連動アダプタ。
【発明の詳細な説明】
【技術分野】
【０００１】
本発明は、病院などで使用される人工呼吸器などの医療機器と医師や看護師などの医療従事者を呼び出すためのナースコールシステムとを連動させるためのナースコール連動アダプタに関する。
【背景技術】
【０００２】
従来、患者が自力で呼吸を行うことができない場合、人工呼吸器などの医療機器（以下、単に医療機器とする）が使用されている。また、医療従事者は医療機器を使用している患者に対して常に監視を行っている。また、患者の呼吸の停止などによる異常が発生したり、患者に装着した器具の脱落や医療機器の故障などによる異常が発生したりした場合には、医療機器は警報音の出力などにより患者や医療機器に異常が発生していることを報知する。医療従事者は、医療機器から出力された警報音を聞くことにより、患者や医療機器に異常が発生していることを把握することができる。
【０００３】
ところで、多忙である医療従事者は、医療機器が設置されている病室に常に居られない場合がある。このような場合には、医療機器が警報音を出力しても医療機器が設置されている病室の近くに居なければ、医療従事者は警報音を聞くことができず、患者や医療機器に対応することができなかった。また、移動中の医療従事者が警報音の聞こえる範囲内に入った場合には、医療従事者は患者や医療機器に対応することができた。しかしながら、移動中の医療従事者が警報音の聞こえる範囲内に入るまでに時間がかかってしまうような場合には、患者や医療機器への対応が遅れてしまった。
【０００４】
このように、医療機器が設置されている病室に医療従事者を配置したり、移動中の医療従事者をあてにしたりせずに、患者や医療機器に異常が発生していることを医療従事者に把握させるために、医療機器と連動したナースコールシステムが知られている（例えば、特許文献１を参照）。このようなナースコールシステムを使用することにより、医療従事者が常に居るであろう部屋（例えば、スタッフルームなど）に設置されたナースコール親機は、患者や医療機器に異常が発生していることを示す呼び出しを報知するともに、その呼び出しを行った病室を通知する。その呼び出しを聞いた医療従事者は、呼び出しを行った病室を確認してその病室へ急行することで、異常が発生している患者や医療機器に迅速な対応を取ることができる。特許文献１に記載のナースコールシステムは、医療機器およびナースコール子機を接続するためのナースコールアダプタと、病室に設置されて医療従事者を呼び出すためのナースコール子機と、呼び出しを報知するナースコール親機とを備えている。また、この種の医療機器は、患者や医療機器に異常が発生した場合に、警報音を出力するだけでなく、発報信号を出力する。医療機器を接続したナースコールアダプタは、医療機器から発報信号を入力する。そして、発報信号を入力したナースコールアダプタは、ナースコール信号（ナースコール子機から出力される呼出信号）に発報信号を変換してナースコール子機へ出力する。ナースコール子機は、ナースコール信号をナースコール親機に出力する。この信号を入力したナースコール親機は、ナースコール子機による呼出動作が行われた場合と同様の動作をし、患者や医療機器に異常が発生したことを報知するようにしている。ここで、発報信号は、接点信号（医療機器に接続されているナースコール子機を制御するための電気信号）として出力されるものであり、定常状態がメイク接点（スイッチを開いた状態）であればブレイク接点（スイッチを閉じた状態）で出力され、定常状態がブレイク接点であればメイク接点で出力される。
【特許文献１】特開２００７−１１７４９１号公報
【０００５】
ところで、医療機器として人工呼吸器を取り付けた患者は、人工呼吸器による強制換気によって呼吸を行っている。また、ごく希であるが、患者は、咽せるなどにより強制換気に反した動作を起こすことがある。これにより、患者の呼気と人工呼吸器からの吸気とがぶつかること（所謂、ファイティング）がある。その結果、人工呼吸器は、自装置に予め設定されている呼吸の換気量や換気回数が乱れ、接点信号を出力する。また、患者が一時的に咽せた場合、人工呼吸器は、ファイティングの状態に合わせて接点信号を出力するため、接点信号を一時的に出力する。このようなときには、接点信号を一時的に入力したナースコールアダプタは、接点信号を呼出信号に変換し、ナースコール子機を介してナースコール親機に出力する。これにより、ナースコール親機は報知を行う。そのため、報知を把握した医療従事者がファイティング状態となった人工呼吸器が設置された病室に到着したときには、人工呼吸器の動作が平常に戻っているということがあった。
【０００６】
そのため、特許文献１に記載のナースコールシステムでは、医療機器が接点信号を一瞬だけ出力した場合でも、ナースコール親機は患者や医療機器に異常が発生したとして報知動作を行ってしまう。このことから、ナースコール親機による報知が患者や医療機器に異常が発生したことによるものなのか、患者が一時的に咽せたことによるものなのか、医療従事者は判断することができなかった。そのため、患者が一時的に咽せたことによる報知であっても、医療従事者は、医療機器が設置されている病室に急行しなければならないという問題があった。
【発明の開示】
【発明が解決しようとする課題】
【０００７】
本発明は、このような問題を解決するために成されたものであり、できるだけ患者や医療機器に異常が発生した場合にのみナースコール親機を呼び出すようにすることを目的とする。
【課題を解決するための手段】
【０００８】
上述した課題を解決するために、本発明のナースコール連動アダプタは、タイマー部が予め設定しておいた時間を計測し終わるまで、検知部が継続して医療機器から出力された信号を検知したと判定部にて判断した場合に、医療従事者を呼び出すための呼出信号を生成して外部へ出力するようにしている。
【０００９】
また、本発明の他の態様によれば、医療機器から出力された信号を形成するパルスをカウント部にてカウントする。タイマー部が予め設定しておいた時間を計測し終わるまで、カウント部にてカウントした回数が所定の回数以上になったとカウント数判定部にて判断した場合に、医療従事者を呼び出すための呼出信号を生成して外部へ出力するようにしている。
【発明の効果】
【００１０】
上記のように構成した本発明によれば、医療機器から出力された信号が所定時間継続して検知された場合にのみ呼出信号が生成されて外部へ出力され、これを入力したナースコールシステムにおいて報知が行われる。これにより、医療機器から一時的に信号が出力された場合には報知が行われないので、患者や医療機器に異常が発生した場合にのみナースコール親機が呼び出される可能性を高くすることができる。従って、医療従事者が無駄に呼び出されることがなくなり、医療従事者の業務効率を向上させることができる。
【００１１】
また、本発明の他の態様によれば、医療機器から出力された信号を形成しているパルスの検知回数が所定回数以上になった場合にのみ呼出信号が生成されて外部へ出力され、これを入力したナースコールシステムにおいて報知が行われる。これにより、医療機器から一時的に信号が出力された場合には報知が行われないので、患者や医療機器に異常が発生した場合にのみナースコール親機が呼び出される可能性を高くすることができる。従って、医療従事者が無駄に呼び出されることがなくなり、医療従事者の業務効率を向上させることができる。
【発明を実施するための最良の形態】
【００１２】
以下、本発明の一実施形態を図面に基づいて説明する。本実施形態によるナースコール連動アダプタを含む医療機器連動ナースコールシステムのブロック図を図１に示す。同図に示すように、医療機器連動ナースコールシステムは、医療機器１０、ナースコール連動アダプタ２０、ナースコールシステム３０を備えて構成されている。また、医療機器１０は、図示しない医療機器用制御部、医療機器用判定部、医療機器用出力部、医療機器用報知部を備えて構成されている。また、ナースコール連動アダプタ２０は、アダプタ用制御部（特許請求の範囲の制御部に該当する）２１、アダプタ用インタフェース部（以下、アダプタ用Ｉ／Ｆ部とする）２２、検知部２３、タイマー部２４、判定部２５を備えて構成されている。また、ナースコールシステム３０は、ナースコール子機３１、ナースコール親機３２を備えて構成されている。また、ナースコール子機３１は、図示しない子機用制御部、呼出操作部を備えて構成されている。また、ナースコール親機３２は、図示しない親機用制御部、報知部を備えて構成されている。
【００１３】
図１において、医療機器１０としては、人工呼吸器などが適用される。人工呼吸器は、患者に対して呼吸を強制的に行わせるものである。医療機器用制御部は、医療機器１０の各構成要素を後述するように制御する。医療機器用判定部は、自装置による呼吸動作が正常に行われているか否かを監視する。患者や医療機器１０に異常が発生したと医療機器用判定部にて判断した場合には、医療機器用制御部は、接点信号（ナースコール連動アダプタ２０を介して医療機器１０に接続されているナースコール子機３１を制御するための電気信号）を生成して出力する。ここで、医療機器用制御部は、接点信号を出力するために、医療機器１０の内部に設けられている図示しないリレーに通電する。通電したリレーは、開いている状態のスイッチを閉じて医療機器用制御部により生成された接点信号を出力する。なお、本実施形態では、通電したリレーは、開いている状態のスイッチを閉じて接点信号を出力しているが、これに限定されない。例えば、通電したリレーは、閉じている状態のスイッチを開いて接点信号を出力するようにしても良い。医療機器用出力部は、リレーから出力された接点信号を外部へ出力する。医療機器用報知部は、患者の呼吸動作または自装置に異常が発生したことを報知する。
【００１４】
ここで、医療機器用制御部は、患者や医療機器１０に異常が発生したと医療機器用判定部にて判断している間だけ接点信号を生成して出力する。換言すると、異常が発生していた患者や医療機器１０が元の状態に戻ったと医療機器用判定部にて判断した場合には、医療機器用制御部は、接点信号の生成を停止して出力を停止する。このことから、医療機器１０は、接点信号を一時的に出力したことになる。従って、医療機器１０から一時的に出力された接点信号は、患者の容体が急変したり、患者に装着した器具が脱落したり、医療機器１０が故障したりすることによる異常が発生したことにより出力されたものではないとされている。
【００１５】
医療機器１０の具体的な動作は下記の通りである。医療機器用制御部は、予め設定されている呼吸の換気量や換気回数に沿った強制換気を医療機器１０を取り付けた患者に対して行う。その際、医療機器用判定部は、稼働時の呼吸の換気量や換気回数が予め設定されている呼吸の換気量や換気回数に沿っているか否かを監視する。
【００１６】
（１）人工呼吸器を取り付けた患者が咽せるなどの強制換気に反した動作を起こして、一時的にファイティングの状態になった場合
人工呼吸器を取り付けた患者が咽せるなどの強制換気に反した動作を起こして、一時的にファイティングの状態になった場合には、医療機器用制御部は、医療機器用報知部を動作させて患者の呼吸動作または自装置に異常が発生したことを報知する。また、医療機器用制御部は、接点信号を生成して出力する。そして、医療機器用出力部は、医療機器用制御部から入力した接点信号をナースコール連動アダプタ２０へ出力する。
【００１７】
また、ファイティングの状態から元の状態に戻った場合には、医療機器用制御部は、医療機器用報知部を停止させて報知を終了する。また、医療機器用制御部は、接点信号の生成を停止して出力を停止する。そして、医療機器用出力部は、医療機器用制御部からの接点信号の入力が停止するため、接点信号のナースコール連動アダプタ２０への出力を停止する。この例において、医療機器１０は、ファイティングの状態であった３秒間接点信号を出力する。
【００１８】
（２）患者の容体が急変したり、患者に装着した器具が脱落したり、医療機器１０が故障したりすることによる異常が発生した場合
患者の容体が急変したり、患者に装着した器具が脱落したり、医療機器１０が故障したりすることにより異常が発生した場合には、医療機器用制御部は、医療機器用報知部を動作させて患者の呼吸動作または自装置に異常が発生したことを報知する。また、医療機器用制御部は、接点信号を生成して出力する。そして、医療機器用出力部は、医療機器用制御部から入力した接点信号をナースコール連動アダプタ２０へ出力する。この例において、医療機器１０は、１０秒以上継続して接点信号を出力する。
【００１９】
ナースコール連動アダプタ２０は、伝送線を介して医療機器１０およびナースコール子機３１を接続しており、医療機器１０およびナースコール子機３１の間に介在して両者を接続するためのものである。また、ナースコール連動アダプタ２０は、医療機器１０から出力された接点信号を入力する。
【００２０】
アダプタ用制御部２１は、ナースコール連動アダプタ２０の各構成要素を後述するように制御する。アダプタ用Ｉ／Ｆ部２２は、ナースコール連動アダプタ２０が医療機器１０との間で通信するために医療機器１０に接続されている。また、アダプタ用Ｉ／Ｆ部２２は、ナースコール連動アダプタ２０がナースコール子機３１との間で通信するために、ナースコール子機３１に接続されている。
【００２１】
検知部２３は、患者や医療機器１０に異常が発生した場合に医療機器１０から出力される接点信号を検知する。具体的には、医療機器１０とナースコール連動アダプタ２０とが伝送線により接続されている状態である場合、検知部２３は、医療機器１０から出力された接点信号がアダプタ用Ｉ／Ｆ部２２を介してナースコール連動アダプタ２０に入力したことを検知する。タイマー部２４は、予め設定しておいた時間を計測する。医療従事者は、図示しないアダプタ用設定部により計測するための時間を設定することができる。ここで、アダプタ用設定部により設定されている時間は、例えば１０秒である。これにより、タイマー部２４は、アダプタ用設定部により予め設定しておいた１０秒間の時間を計測する。
【００２２】
検知部２３が医療機器１０から出力された接点信号を検知した際に、アダプタ用制御部２１はタイマー部２４を動作させ、タイマー部２４は時間を計測し始める。また、アダプタ用制御部２１は、検知部２３が医療機器１０から出力された接点信号を検知しなくなった場合、または、タイマー部２４が予め設定しておいた時間まで計測した場合に、タイマー部２４の動作を停止する。
【００２３】
判定部２５は、タイマー部２４が予め設定しておいた時間を計測し終わるまで、検知部２３が継続して医療機器１０から出力された接点信号を検知したか否かを判定する。換言すると、判定部２５は、医療機器１０から出力された接点信号を検知部２３が１０秒間継続して検知したか否かを判定する。ここで、検知部２３が医療機器１０から出力された接点信号を検知した際に、アダプタ用制御部２１は判定部２５を動作させ、判定部２５は処理を開始する。また、アダプタ用制御部２１は、検知部２３が医療機器１０から出力された接点信号を検知しなくなった場合、または、タイマー部２４が予め設定しておいた時間まで計測した場合に、判定部２５の動作を停止する。
【００２４】
（１）人工呼吸器を取り付けた患者が咽せるなどの強制換気に反した動作を起こして、一時的にファイティングの状態になった場合
人工呼吸器を取り付けた患者が咽せるなどの強制換気に反した動作を起こして、一時的にファイティングの状態になった場合には、医療機器１０は、ファイティングの状態であった３秒間接点信号を出力する。そのため、判定部２５は、タイマー部２４が予め設定しておいた時間を計測し終わるまで、検知部２３が継続して医療機器１０から出力された接点信号を検知していない、換言すると、１０秒に満たない状態で検知部２３が医療機器１０から出力された接点信号を検知しなくなったと判断する。そして、アダプタ用制御部２１は、患者や医療機器１０が一時的に異常になった（すなわち、一時的にファイティングの状態になった）と判断する。そのため、アダプタ用制御部２１は呼出信号を生成しない（または、生成した呼出信号を出力しない）。
【００２５】
（２）患者の容体が急変したり、患者に装着した器具が脱落したり、医療機器１０が故障したりすることによる異常が発生した場合
患者の容体が急変したり、患者に装着した器具が脱落したり、医療機器１０が故障したりすることにより異常が発生した場合には、医療機器１０は、１０秒間以上継続して接点信号を出力する。そのため、判定部２５は、タイマー部２４が予め設定しておいた時間を計測し終わるまで、検知部２３が継続して医療機器１０から出力された接点信号を検知した、換言すると、検知部２３が医療機器１０から出力された接点信号を１０秒以上検知し続けていると判断する。そして、アダプタ用制御部２１は、患者や医療機器１０に異常が発生した（すなわち、患者の容体が急変したり、患者に装着した器具が脱落したり、医療機器１０が故障したりすることにより異常が発生した）と判断する。そのため、アダプタ用制御部２１は呼出信号を生成する（または、生成した呼出信号を出力する）。ここで、アダプタ用制御部２１は、呼出信号を生成する際、通常呼出、緊急呼出などの呼出種別を示す呼出種別情報を付加するようにしても良い。
【００２６】
ナースコール子機３１は、病室内の患者の近辺（例えば、ベッド近傍など）に設置されており、伝送線を介してナースコール連動アダプタ２０およびナースコール親機３２を接続している。子機用制御部は、ナースコール子機３１の各構成要素を後述するように制御する。呼出操作部は、患者が医療従事者を呼び出すために操作されるものであり、呼出操作部が操作されると、子機用制御部は呼出信号を生成する。また、ナースコール連動アダプタ２０から出力された呼出信号を入力した場合には、子機用制御部は、入力した呼出信号にナースコール子機３１を識別するための識別情報を付加する。また、子機用制御部は、ナースコール親機３２へ呼出信号を出力する。
【００２７】
なお、子機用制御部は、ナースコール連動アダプタ２０から呼出信号を入力した際に、ナースコール子機３１を識別するための識別情報を付加しているが、これに限定されない。例えば、子機用制御部は、ナースコール子機３１を識別するための識別情報を付加するだけでなく、ナースコール連動アダプタ２０から出力されたことを示す情報を付加するようにしても良い。
【００２８】
ナースコール親機３２は、医療従事者が居る部屋（例えば、スタッフルームなど）に設置されており、患者からの呼び出しに応答するため、または、患者からの呼び出しを報知するためのものである。また、ナースコール親機３２は、患者や医療機器１０に異常が発生したことを報知するためのものである。ここで、ナースコール親機３２には、複数のナースコール子機３１が接続されている。親機用制御部は、ナースコール親機３２の各構成要素を後述するように制御する。報知部は、ナースコール子機３１からの呼び出しを報知するとともに、ナースコール連動アダプタ２０に接続された医療機器１０を使用する患者や医療機器１０そのものに異常が発生したことを報知する。ここで、報知部は、スピーカや表示ディスプレイ、表示灯などにより構成されている。ナースコール親機３２がナースコール子機３１から出力された呼出信号を入力した場合には、親機用制御部は報知部を動作させてスピーカから呼び出し音を出力したり、表示ディスプレイに呼び出し表示を行ったり、表示灯を点灯または点滅させたりして呼び出しを報知する。
【００２９】
また、親機用制御部は、呼出信号を解析して、呼出信号に付加されている識別情報から呼び出しを行ったナースコール子機３１を特定する。なお、呼出信号に呼出種別を示す呼出種別情報が付加されている場合には、親機用制御部は、その呼出種別に対応する呼び出しを報知部に報知させるようにしても良い。また、呼出信号にナースコール連動アダプタ２０から出力されたことを示す情報が付加されている場合には、親機用制御部は、報知部にその旨を報知させるようにしても良い。
【００３０】
以上、詳しく説明したように、本実施形態のナースコール連動アダプタ２０では、タイマー部２４が予め設定しておいた時間を計測し終わるまで、検知部２３が医療機器１０から出力された接点信号を継続して検知した場合にのみ、アダプタ用制御部２１は、呼出信号を生成してナースコール子機３１へ出力する。これを入力したナースコールシステムにおいて、報知が行われる。これにより、医療機器１０から一時的に接点信号が出力された場合には、報知が行われないので、患者や医療機器１０に異常が発生した場合にのみ、ナースコール親機３２が呼び出される可能性を高くすることができる。従って、医療従事者が無駄に呼び出されることがなくなり、医療従事者の業務効率を向上させることができる。
【００３１】
なお、前述した実施形態では、ナースコール連動アダプタ２０は、医療機器１０から出力された接点信号を入力するようにしているが、これに限定されない。例えば、ナースコール連動アダプタ２０は、医療機器１０から出力され、患者や医療機器１０に異常が発生したことを示すアラーム信号を入力するようにしても良い。
【００３２】
また、前述した実施形態では、アダプタ用制御部２１は、患者の容体が急変したり、患者に装着した器具が脱落したり、医療機器１０が故障したりすることによる異常が発生した場合にのみ、呼出信号を生成してナースコール子機３１へ出力しているが、これに限定されない。例えば、アダプタ用制御部２１は、医療機器１０を使用している際に医療機器１０とナースコール連動アダプタ２０との間の接続が途切れた（すなわち、形成されていた通信路が切断された）場合にも、呼出信号を生成してナースコール子機３１へ出力するようにしても良い。
【００３３】
また、前述した実施形態では、ナースコール連動アダプタ２０は、自装置の動作の状況を報知していないが、これに限定されない。例えば、ナースコール連動アダプタ２０の動作の状況を報知する動作報知部をナースコール連動アダプタ２０に設けるようにしても良い。
【００３４】
具体的には、ナースコール連動アダプタ２０の動作の状況を報知する手段として、ＬＥＤ（Ｌｉｇｈｔ  Ｅｍｉｔｔｉｎｇ  Ｄｉｏｄｅ）などから構成される表示部、スピーカなどから構成される音声出力部（いずれも図示しない）などが挙げられる。ナースコール連動アダプタ２０が待機している（すなわち、検知部２３が接点信号を検知していない）場合には、アダプタ用制御部２１は、表示部を遅く点滅させる。また、アダプタ用制御部２１は、間隔が長い断続した音を音声出力部から出力させる。また、ナースコール連動アダプタ２０が医療機器１０から出力された接点信号を入力した（すなわち、検知部２３が接点信号を検知し、タイマー部２４および判定部２５が動作した）場合には、アダプタ用制御部２１は、表示部を点灯させる。また、アダプタ用制御部２１は、間隔が短い断続した音を音声出力部から出力させる。また、タイマー部２４が１０秒間の時間を計測し終わっても、検知部２３が医療機器１０から出力された接点信号を１０秒以上検知し続けていると判定部２５にて判断したことにより、アダプタ用制御部２１が呼出信号を外部へ出力している場合には、アダプタ用制御部２１は、点灯させていた表示部を早く点滅させるように切り替える。また、アダプタ用制御部２１は、間隔が短い断続した音を出力させていた音声出力部を連続した音を出力させるように切り替える。
【００３５】
これにより、医療従事者は、ナースコール連動アダプタ２０の動作の状況を視覚または聴覚により確認することができる。もちろん、表示部および音声出力部のいずれか一方を備えて構成するようにしても良い。
【００３６】
また、前述した実施形態では、医療機器１０から出力された信号が所定時間継続して検知された場合、アダプタ用制御部２１は、呼出信号を生成して外部へ出力するようにしているが、これに限定されない。例えば、医療機器１０から出力された信号を形成しているパルスを検知した回数が所定時間内に所定回数以上になった場合、アダプタ用制御部２１は、呼出信号を生成して外部へ出力するようにしても良い。
【００３７】
具体的には、図２に示すようなナースコール連動アダプタ２０を含む医療機器連動ナースコールシステムを用いて実現する。同図に示すように、本変形例は、図１に示す実施形態の判定部２５の代わりに、パルス検知部２６、カウント部２７、カウント数判定部２８をナースコール連動アダプタ２０に設けている。ここで、医療機器１０およびナースコールシステム３０については、前述の実施形態と同様の構成であるため、説明を省略する。また、医療機器１０としては、人工呼吸器が適用される。
【００３８】
パルス検知部２６は、医療機器１０から出力された接点信号を形成しているパルスを検知する。カウント部２７は、パルス検知部２６がパルスを検知した回数をカウントする。カウント数判定部２８は、タイマー部２４が予め設定しておいた時間を計測し終わるまで、カウント部２７にてカウントした回数が所定の回数以上になったか否かを判定する。ここで、医療機器１０から出力された接点信号は、複数のパルスにより形成されている。そのため、医療機器１０を取り付けた患者が咽せるなどの強制換気に反した動作を起こすことにより、医療機器１０から一時的に出力された接点信号は、極めて少ない数のパルスで形成されている。一方、患者や医療機器１０に異常が発生したことにより医療機器１０から継続的に出力された接点信号は、多数のパルスで形成されている。そのため、医療機器１０から出力された接点信号が患者や医療機器１０に異常が発生したことによるものであるか否かを判定するために、医療従事者は、図示しないカウント数設定部にて所定の回数を設定する。
【００３９】
ここで、パルス検知部２６が医療機器１０から出力された接点信号を形成しているパルス検知した際に、アダプタ用制御部２１はカウント数判定部２８を動作させ、カウント数判定部２８は処理を開始する。また、アダプタ用制御部２１は、パルス検知部２６が医療機器１０から出力された接点信号を形成しているパルスを検知しなくなった場合、または、タイマー部２４が予め設定しておいた時間まで計測した場合に、カウント数判定部２８の動作を停止する。
【００４０】
タイマー部２４が予め設定しておいた時間を計測し終わるまで、パルス検知部２６がパルスを検知した回数をカウント部２８にてカウントしていない、換言すると、タイマー部２４が予め設定しておいた時間まで計測した状態で、パルスを検知した回数がカウント数設定部にて予め設定しておいた回数未満である場合には、アダプタ用制御部２１は、患者や医療機器１０が一時的に異常になった（すなわち、一時的にファイティングの状態になった）と判断する。そのため、アダプタ用制御部２１は呼出信号を生成しない（または、生成した呼出信号を出力しない）。
【００４１】
一方、タイマー部２４が予め設定しておいた時間を計測し終わるまで、パルス検知部２６がパルスを検知した回数をカウント部２８にてカウントしていた、換言すると、タイマー部２４が予め設定しておいた時間まで計測した状態で、パルスを検知した回数がカウント数設定部にて予め設定しておいた回数以上になった場合には、アダプタ用制御部２１は、患者や医療機器１０に異常が発生した（すなわち、患者の容体が急変したり、患者に装着した器具が脱落したり、医療機器１０が故障したりすることにより異常が発生した）と判断する。そのため、アダプタ用制御部２１は呼出信号を生成する（または、生成した呼出信号を出力する）。
【００４２】
これにより、医療機器から出力された信号を形成しているパルスの検知回数が所定回数以上になった場合にのみ呼出信号が生成されて外部へ出力され、これを入力したナースコールシステムにおいて報知が行われる。このことから、医療機器から一時的に信号が出力された場合には報知が行われないので、患者や医療機器に異常が発生した場合にのみナースコール親機が呼び出される可能性を高くすることができる。従って、医療従事者が無駄に呼び出されることがなくなり、医療従事者の業務効率を向上させることができる。
【００４３】
その他、ナースコール連動アダプタ２０およびナースコール連動アダプタ２０を含む医療機器連動ナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【図面の簡単な説明】
【００４４】
【図１】本実施形態のナースコール連動アダプタを含む医療機器連動ナースコールシステムのブロック図である。
【図２】本実施形態のナースコール連動アダプタを含む医療機器連動ナースコールシステムの変形例を示すブロック図である。
【符号の説明】
【００４５】
１０    医療機器
２０    ナースコール連動アダプタ
３０    ナースコールシステム
２１    アダプタ用制御部
２２    アダプタ用インタフェース部（アダプタ用Ｉ／Ｆ部）
２３    検知部
２４    タイマー部
２５    判定部
２６    パルス検知部
２７    カウント部
２８    カウント数判定部
３１    ナースコール子機
３２    ナースコール親機
【図１】
2009106309.tif 000003
【図２】
2009106309.tif 000004